【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
通信インタフェースと、
前記通信インタフェースを介して接続された映像表示装置の処理負荷を取得する取得手段と、
前記映像表示装置に画面を表示するための表示用データの描画処理の実行を指示する描画コマンドを生成する描画コマンド生成手段と、
前記取得した処理負荷に応じて、前記映像表示装置における表示用データの描画処理を調整するためのデータコマンドを生成する生成手段と、
前記描画コマンド及び前記データコマンドを前記映像表示装置に送信する送信手段とを有することを特徴とする情報処理装置。
【請求項２】
前記映像表示装置が前記通信インタフェースに接続されたことに応じて、前記表示用データを前記映像表示装置に転送する転送手段をさらに有することを特徴とする請求項１記載の情報処理装置。
【請求項３】
前記表示用データは、前記情報処理装置におけるＧＵＩ表示を行うためのデータであり、前記データコマンドは、前記表示用データに含まれる、描画処理の対象となる要素を特定するコマンドであることを特徴とする請求項１又は請求項２記載の情報処理装置。
【請求項４】
ユーザの指示入力を受け付けるための操作手段をさらに有し、
前記取得手段が、前記操作手段を通じた指示入力に応答して、前記処理負荷の取得を行うことを特徴とする請求項１乃至請求項３のいずれか１項に記載の情報処理装置。
【請求項５】
映像表示装置であって、
画面を表示するための表示用データを保持する記憶手段と、
通信インタフェースと、
前記通信インタフェースに接続された情報処理装置からの指示に従って、前記表示用データを描画処理し、表示する描画処理手段と、
前記映像表示装置の処理負荷を判定する判定手段と、
前記情報処理装置へ前記処理負荷を通知する通知手段とを有し、
前記情報処理装置からの指示が、前記表示用データのうち、前記描画処理の対象となる要素を特定するためのデータコマンドを含み、前記描画処理手段は、前記データコマンドに基づいて前記表示用データを変更し、変更後の前記表示用データの描画処理を行なうことを特徴とする映像表示装置。
【請求項６】
前記表示用データは、前記情報処理装置から転送されたものであることを特徴とする請求項５記載の映像表示装置。
【請求項７】
前記判定手段が、前記情報処理装置からの処理負荷確認コマンドに応答して前記処理負荷の判定を行うことを特徴とする請求項５又は請求項６記載の映像表示装置。
【請求項８】
前記通信インタフェースに接続された第１の情報処理装置からの指示に従って前記描画処理を実行中に、前記第１の情報処理装置とは異なる第２の情報処理装置から前記処理負荷確認コマンドを受信した場合、前記描画処理手段は前記実行中の描画処理を中断するとともに、
前記通知手段は、前記第２の情報処理装置からの前記処理負荷確認コマンドに応じて前記判定手段が判定した処理負荷を、前記第１及び第２の情報処理装置へ通知することを特徴とする請求項７記載の映像表示装置。
【請求項９】
通信インタフェースを有し、前記通信インタフェースを介して接続された映像表示装置と通信可能な情報処理装置の制御方法であって、
前記映像表示装置の処理負荷を取得する取得ステップと、
前記映像表示装置に画面を表示するための表示用データの描画処理の実行を指示する描画コマンドを生成する描画コマンド生成ステップと、
前記取得した処理負荷に応じて、前記映像表示装置における表示用データの描画処理を調整するためのデータコマンドを生成する生成ステップと、
前記描画コマンド及び前記データコマンドを送信部を用いて前記映像表示装置に送信する送信ステップとを有することを特徴とする制御方法。
【請求項１０】
前記映像表示装置が前記通信インタフェースに接続されたことに応じて、前記表示用データを前記映像表示装置に転送する転送ステップをさらに有することを特徴とする請求項９記載の制御方法。
【請求項１１】
前記表示用データは、前記情報処理装置におけるＧＵＩ表示を行うためのデータであり、前記データコマンドは、前記表示用データに含まれる、描画処理の対象となる要素を特定するコマンドであることを特徴とする請求項９又は請求項１０記載の制御方法。
【請求項１２】
前記映像表示装置が、ユーザの指示入力を受け付けるための操作部を有し、
前記取得ステップが、前記操作部を通じた指示入力に応答して、前記処理負荷の取得を行うことを特徴とする請求項９乃至請求項１１のいずれか１項記載の制御方法。
【請求項１３】
画面を表示するための表示用データを保持する記憶部と、通信インタフェースとを有する映像表示装置の制御方法であって、
前記通信インタフェースに接続された情報処理装置からの指示に従って、前記表示用データを描画処理し、表示する描画処理ステップと、
前記映像表示装置の処理負荷を判定する判定ステップと、
前記情報処理装置へ前記処理負荷を通知する通知ステップとを有し、
前記情報処理装置からの指示が、前記表示用データのうち、前記描画処理の対象となる要素を特定するためのデータコマンドを含み、前記描画処理ステップは、前記データコマンドに基づいて前記表示用データを変更した後、変更後の前記表示用データの描画処理を行なうことを特徴とする映像表示装置の制御方法。
【請求項１４】
前記表示用データは、前記情報処理装置から転送されたものであることを特徴とする請求項１３記載の制御方法。
【請求項１５】
前記判定ステップが、前記情報処理装置からの処理負荷確認コマンドに応答して前記処理負荷の判定を行うことを特徴とする請求項１３又は請求項１４記載の制御方法。
【請求項１６】
前記描画処理ステップは、前記通信インタフェースに接続された第１の情報処理装置からの指示に従って前記描画処理を実行中に、前記第１の情報処理装置とは異なる第２の情報処理装置から前記処理負荷確認コマンドを受信した場合、前記実行中の描画処理を中断するとともに、
前記通知ステップは、前記第２の情報処理装置からの前記処理負荷確認コマンドに応じて前記判定ステップが判定した処理負荷を、前記第１及び第２の情報処理装置へ通知することを特徴とする請求項１５記載の制御方法。
【手続補正２】
【補正対象書類名】明細書
【補正対象項目名】発明の名称
【補正方法】変更
【補正の内容】
【発明の名称】映像表示装置、映像表示装置と通信可能な情報処理装置及びそれらの制御方法
【手続補正３】
【補正対象書類名】明細書
【補正対象項目名】０００１
【補正方法】変更
【補正の内容】
【０００１】
本発明は映像表示装置、映像表示装置と通信可能な情報処理装置及びそれらの制御方法に関する。
【手続補正４】
【補正対象書類名】明細書
【補正対象項目名】００１１
【補正方法】変更
【補正の内容】
【００１１】
上述の目的は、通信インタフェースと、通信インタフェースを介して接続された映像表示装置の処理負荷を取得する取得手段と、映像表示装置に画面を表示するための表示用データの描画処理の実行を指示する描画コマンドを生成する描画コマンド生成手段と、取得した処理負荷に応じて、映像表示装置における表示用データの描画処理を調整するためのデータコマンドを生成する生成手段と、描画コマンド及びデータコマンドを映像表示装置に送信する送信手段とを有することを特徴とする情報処理装置によって達成される。
【手続補正５】
【補正対象書類名】明細書
【補正対象項目名】００１２
【補正方法】変更
【補正の内容】
【００１２】
また、上述の目的は、映像表示装置であって、画面を表示するための表示用データを保持する記憶手段と、通信インタフェースと、通信インタフェースに接続された情報処理装置からの指示に従って、前記表示用データを描画処理し、表示する描画処理手段と、映像表示装置の処理負荷を判定する判定手段と、情報処理装置へ処理負荷を通知する通知手段とを有し、情報処理装置からの指示が、前記表示用データのうち、描画処理の対象となる要素を特定するためのデータコマンドを含み、描画処理手段は、データコマンドに基づいて前記表示用データを変更し、変更後の前記表示用データの描画処理を行なうことを特徴とする映像表示装置によっても達成される。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、上述の目的は、通信インタフェースを有し、通信インタフェースを介して接続された映像表示装置と通信可能な情報処理装置の制御方法であって、映像表示装置の処理負荷を取得する取得ステップと、映像表示装置に画面を表示するための表示用データの描画処理の実行を指示する描画コマンドを生成する描画コマンド生成ステップと、取得した処理負荷に応じて、映像表示装置における表示用データの描画処理を調整するためのデータコマンドを生成する生成ステップと、描画コマンド及びデータコマンドを送信部を用いて映像表示装置に送信する送信ステップとを有することを特徴とする制御方法によっても達成される。
【手続補正８】
【補正対象書類名】明細書
【補正対象項目名】００１５
【補正方法】変更
【補正の内容】
【００１５】
また、上述の目的は、画面を表示するための表示用データを保持する記憶部と、通信インタフェースとを有する映像表示装置の制御方法であって、通信インタフェースに接続された情報処理装置からの指示に従って、前記表示用データを描画処理し、表示する描画処理ステップと、映像表示装置の処理負荷を判定する判定ステップと、情報処理装置へ処理負荷を通知する通知ステップとを有し、情報処理装置からの指示が、前記表示用データのうち、描画処理の対象となる要素を特定するためのデータコマンドを含み、描画処理ステップは、データコマンドに基づいて前記表示用データを変更した後、変更後の前記表示用データの描画処理を行なうことを特徴とする映像表示装置の制御方法によっても達成される。
【手続補正９】
【補正対象書類名】明細書
【補正対象項目名】００１７
【補正方法】変更
【補正の内容】
【００１７】
（第１の実施形態）
以下、図面を参照して本発明の実施形態について説明する。
図１は、本発明の第１の実施形態に係る映像表示システムの構成例を示すブロック図である。本実施形態に係るシステムは、映像表示装置２と、映像表示装置２と通信可能に接続された周辺機器１とから構成される。上述したように、映像表示装置２は例えばデジタルテレビジョン受像機であり、周辺機器１は、デジタルカメラ、カムコーダ、プリンタ、リモコンなどといった情報処理装置である。
【手続補正１０】
【補正対象書類名】明細書
【補正対象項目名】００３０
【補正方法】変更
【補正の内容】
【００３０】
図２は、本実施形態における周辺機器１が生成する描画コマンドとデータコマンドの例について説明する図である。
ここでは、周辺機器１が映像表示装置２に接続された際に転送されるＳＶＧデータ４０が、ＳＶＧのフルセットを用いて記述されているものとする。図２に示すように、このＳＶＧデータ４０には、「メニュー画面」を表示するためのＳＶＧデータ、「カメラ設定画面」表示用のＳＶＧデータといったように、周辺機器１のメニュー操作に対応した複数のＳＶＧデータが含まれている。
【手続補正１１】
【補正対象書類名】明細書
【補正対象項目名】００３１
【補正方法】変更
【補正の内容】
【００３１】
従って、例えば周辺機器１において、操作部２２から「メニュー画面」の表示指示が与えられた場合、描画コマンド生成部８は、「メニュー画面」を表示するためのＳＶＧデータ４２を指定するための描画コマンド４１を生成する。
【手続補正１２】
【補正対象書類名】明細書
【補正対象項目名】００３７
【補正方法】変更
【補正の内容】
【００３７】
映像表示装置２のＳＶＧデータ処理部１８は、受信した描画コマンドに基づき、メモリ７に一時記憶したＳＶＧデータの中から操作、表示に対応したデータ（ここではメニュー画面を表示するためのＳＶＧデータ）を選択する。そして、ＳＶＧデータ処理部１８は、選択したＳＶＧデータの中から、データコマンドに指定されたタグに対応する部分を除去することによって、処理負荷に応じたＳＶＧデータに変更する。そして、ＳＶＧデータ処理部１８は、変更後のＳＶＧデータを、描画処理部１４へ与える。
【手続補正１３】
【補正対象書類名】明細書
【補正対象項目名】００６０
【補正方法】変更
【補正の内容】
【００６０】
そして、映像表示装置２において周辺機器１のメニュー画面を表示するためのＳＶＧデータの変更処理（Ｓ１１）を行い、描画処理（Ｓ１２）が行われている最中に、第２の周辺機器１００においてメニュー画面表示の指示がなされたとする（Ｓ１１４）。